(57)【要約】【課題】本発明は、封書型ダイレクトメールの開封率の向上に寄与する新規な封筒構造を提供することを目的とする。【解決手段】本発明によれば、二つ折りにした厚紙を封緘してなる封筒構造であって、前記厚紙の半面の縦縁および上下の横縁に沿ってミシン目が形成されており、前記ミシン目の切り込み部は、切り離し予定線上に非切り込み部と交互に形成される第１の切り込み部と、該第１の切り込み部の開封方向後端に連続して形成される第２の切り込み部と、該第２の切り込み部に連続して形成される第３の切り込み部を含み、前記第１の切り込み部と前記第２の切り込み部が鈍角をなし、前記第３の切り込み部が前記第１の切り込み部と略平行に形成されることを特徴とする封筒構造が提供される。【選択図】図６
2015024835.tif 000002
【特許請求の範囲】
【請求項１】
二つ折りにした厚紙を封緘してなる封筒構造であって、
前記厚紙の半面の縦縁および上下の横縁に沿ってミシン目が形成されており、
前記ミシン目の切り込み部は、切り離し予定線上に非切り込み部と交互に形成される第１の切り込み部と、該第１の切り込み部の開封方向後端に連続して形成される第２の切り込み部と、該第２の切り込み部に連続して形成される第３の切り込み部を含み、
前記第１の切り込み部と前記第２の切り込み部が鈍角をなし、前記第３の切り込み部が前記第１の切り込み部と略平行に形成される
ことを特徴とする封筒構造。
【請求項２】
前記横縁に沿った前記ミシン目の前記第３の切り込み部が前記切り離し予定線から見て上側に形成され、前記縦縁に沿った前記ミシン目の前記第３の切り込み部が前記切り離し予定線から見て折り山側に形成されることを特徴とする、
請求項１に記載の封筒構造。
【請求項３】
前記上の横縁に沿った前記ミシン目と前記縦縁に沿った前記ミシン目がカーブ状の切り込み部を介して接続され、
前記下の横縁に沿った前記ミシン目と前記縦縁に沿った前記ミシン目がタブ状の切り込み部を介して接続されていることを特徴とする、
請求項１または２に記載の封筒構造。
【請求項４】
前記横縁に沿った前記ミシン目のピッチが前記縦縁に沿った前記ミシン目のピッチよりも小さいことを特徴とする、
請求項１〜３のいずれか一項に記載の封筒構造。
【請求項５】
前記第１の切り込み部の長さが６ｍｍ〜８ｍｍであり、前記非切り込み部の長さが該第１の切り込み部の長さの１０％〜３０％であることを特徴とする、請求項１〜４のいずれか一項に記載の封筒構造。
【請求項６】
請求項１〜５のいずれか一項に記載の封筒構造を備えるダイレクトメール。
【発明の詳細な説明】
【技術分野】
【０００１】
本発明は、封筒構造に関し、より詳細には、ダイレクトメールに適した封筒構造に関する。
【背景技術】
【０００２】
従来、販売促進活動の一環として、見込み客にダイレクトメールを一斉送付するといったことが広く行われている。しかしながら、１日に何通ものダイレクトメールが届く昨今、内容を見ないで廃棄されるものが少なくない。そして、この傾向は封書型のダイレクトメールにおいて特に顕著になる。というのも、一般に、人は、封筒の開封を億劫に感じるからである。
【０００３】
したがって、これまで、封書型のダイレクトメールの開封率を向上させるために、様々な工夫がなされてきた。この点につき、特許文献１は、受取人の関心を喚起すべく、外部から封入物を視認することができる透明窓部を設けたダイレクトメール用封筒を開示する。また、特許文献２は、未開封のまま廃棄されることを回避すべく、開封後の封筒をそのままクリアファイルとして再利用できるようにしたダイレクトメール用封筒を開示する。
【先行技術文献】
【特許文献】
【０００４】
【特許文献１】特開平８−２８２６７８号公報
【特許文献２】特開２０１０−１６３２１２号公報
【発明の概要】
【発明が解決しようとする課題】
【０００５】
本発明は、上記従来技術に鑑みてなされたものであり、本発明は、封書型ダイレクトメールの開封率の向上に寄与する新規な封筒構造を提供することを目的とする。
【課題を解決するための手段】
【０００６】
本発明者は、封書型ダイレクトメールの開封率の向上に寄与する封筒構造につき鋭意検討した結果、以下の構成に想到し、本発明に至ったのである。
【０００７】
すなわち、本発明によれば、二つ折りにした厚紙を封緘してなる封筒構造であって、前記厚紙の半面の縦縁および上下の横縁に沿ってミシン目が形成されており、前記ミシン目の切り込み部は、切り離し予定線上に非切り込み部と交互に形成される第１の切り込み部と、該第１の切り込み部の開封方向後端に連続して形成される第２の切り込み部と、該第２の切り込み部に連続して形成される第３の切り込み部を含み、前記第１の切り込み部と前記第２の切り込み部が鈍角をなし、前記第３の切り込み部が前記第１の切り込み部と略平行に形成されることを特徴とする封筒構造が提供される。
【発明の効果】
【０００８】
上述したように、本発明によれば、封書型ダイレクトメールの開封率の向上に寄与する新規な封筒構造が提供される。
【図面の簡単な説明】
【０００９】
【図１】本発明の着想を説明するための概念図。
【図２】大判封筒の配達状態を示す図。
【図３】本実施形態において使用される厚紙を示す図。
【図４】ミシン目が形成された厚紙を示す図。
【図５】本実施形態の封筒構造にリーフレットとサンプルを封入する工程を示す図。
【図６】本実施形態のダイレクトメールの表紙を示す図。
【図７】本実施形態のダイレクトメールが開封される様子を時系列的に示す図。
【図８】本実施形態の封筒構造に形成されるミシン目を説明するための図。
【図９】本実施形態の封筒構造に形成されるミシン目を説明するための図。
【図１０】本実施形態の封筒構造に形成されるミシン目を説明するための図。
【図１１】折り曲げた状態のダイレクトメールを上側から覗いた様子を示す図。
【図１２】折り曲げた状態のダイレクトメールを下側から覗いた様子を示す図。
【図１３】比較例１のミシン目。
【図１４】比較例２のミシン目。
【図１５】比較例３のミシン目。
【図１６】実施例１のミシン目。
【図１７】実施例２のミシン目。
【発明を実施するための形態】
【００１０】
本発明者は、封書型ダイレクトメールの開封率の向上に寄与する封筒構造について検討を重ねる中で、図１に示す着想を得た。すなわち、それは、長方形の厚紙を二つ折りにして封緘した密閉封筒において、厚紙の半面の縦縁および上下の横縁に沿って比較的破断しやすいミシン目を形成しておき、開封時には、略コの字状に形成されたミシン目を角部から一気に破断して、ワンタッチ（一回の動作）でこれを開封するというものである。
【００１１】
その後、本発明者は、上述したワンタッチ開封を実現するべく、破断しやすいミシン目の形状を模索していたところ、以下に述べる問題に行き当たった。
【００１２】
Ａ４サイズなど大判の封筒は、配達の際、図２に示すように、封筒の表面を内側にして縦に折り曲げられた状態で持ち運ばれたり、郵便受けに差し込まれたりすることが多い。このことを、図１に示す密閉封筒に当てはめて考えた場合、ミシン目が形成された封筒の表面を内側にして縦に折り曲げられると、その表面の厚紙に弾性変形が生じることが考えられる。この場合、弾性変形した表面の厚紙には元の状態に戻ろうとする復元力が作用することになるが、封筒表面のミシン目が破断しやすい場合、ミシン目がこの復元力に抗しきれずに破断してしまう虞がある。
【００１３】
本発明者は、上述した問題に着目し、開封時には破断しやすく、封筒の折り曲げによっては破断しにくいミシン目の形状を模索した。その結果、この相反する二つの要件を満たす新規なミシン目の形状に想到し、本発明を完成するに至った。
【００１４】
以上、本発明が創出されるまでの経緯について説明してきたが、続いて、本発明の封筒構造の内容を具体的に説明する。なお、以下に参照する各図においては、共通する要素について同じ符号を用い、適宜、その説明を省略するものとする。
【００１５】
以下の説明は、本発明の封筒構造をシャンプー販促用のダイレクトメール（Ａ４サイズ）に適用した実施形態に基づいて行うものとする。最初に、本実施形態のダイレクトメール（以下、ＤＭという）の作製工程を説明する。
【００１６】
本実施形態においては、まず、封筒の材料として図３に示すような長方形の厚紙１０を用意する。
【００１７】
図３（ａ）は、厚紙１０の表面１０ａを示す。表面１０ａは、厚紙１０を折り曲げ線１２に沿って二つ折りにしたときにＤＭの外観をなす面である。したがって、表面１０ａには、ＤＭの表紙および裏表紙に対応する任意のデザインや文字情報が予め印刷される。例えば、ＤＭの表紙となる右半面のスペースＳ１に宛名を印字したり、スペースＳ２にＤＭの見出しを印刷したりする。また、ＤＭの裏表紙となる左半面にＤＭ発送元の名称や住所・連絡先などを印刷したりする。
【００１８】
一方、図３（ｂ）は、厚紙１０の裏面１０ｂを示す。裏面１０ｂは、厚紙１０を折り曲げ線１２に沿って二つ折りにしたときに封筒の内側に隠蔽され、封筒の開封時にその一面が露出する。したがって、表面１０ａと同様に、裏面１０ｂに対しても予め任意のデザインや文字情報を印刷しておくことで、これを広告スペースとして機能させることができる。
【００１９】
続いて、必要な印刷工程を経た厚紙１０に対してミシン目を形成する。具体的には、図４（ａ）および（ｂ）に示すように、折り曲げ線１２によって二等分される２つの面のうち、ＤＭの表紙となる半面の縦縁および上下の横縁に沿ってミシン目を形成する。
【００２０】
続いて、図５（ａ）に示すように、厚紙１０の裏面１０ｂのミシン目１６が形成されていない方の半面に二つ折りのリーフレット２０（Ｂ５サイズ）を適切な方法で固定する。例えば、リーフレット２０は、後に簡単に取り外せるように、再剥離タイプの粘着剤を使用して裏面１０ｂに固定することが好ましい。
【００２１】
続いて、図５（ｂ）に示すように、シャンプーの試供品が入った小袋３０（以下、サンプル３０として参照する）をリーフレット２０の上面に適切な方法で固定する。例えば、サンプル３０は、同じく、後に簡単に取り外せるように、再剥離タイプの粘着剤を使用してリーフレット２０の上面に固定することが好ましい。
【００２２】
最後に、図５（ｃ）に示すように、厚紙１０の裏面１０ｂを折り曲げ線１２に沿って谷折りした後、折り曲げ線１２によって二等分された裏面１０ｂの２つの面の対向する外周縁を適切な方法で封緘することによって、本実施形態のＤＭが完成する。
【００２３】
なお、上述したリーフレット２０やサンプル３０はあくまで例示であって、この他にも注文書やハガキなどをＤＭに封入するようにしてもよい。さらに、上述した一連の工程は、封入封緘機（インサーター）を用いて容易に自動化することができるので、本実施形態のＤＭは大ロット対応が可能となる。
【００２４】
図６は、上述した手順で作製されたＤＭ１００の表紙を示す。図６に示すように、ＤＭ１００の表紙には、ミシン目１６が折り山１９を端として略コの字状に形成されている。以下、ミシン目１６によって画成された内側の領域を扉部１８として参照し、ミシン目１６によって画成された外側の領域を枠部１５として参照する。
【００２５】
さらに、本実施形態においては、ＤＭ１００の上の横縁に沿ったミシン目１６ａと縦縁に沿ったミシン目１６ｃとがカーブ状の切り込み部１４を介して接続されており、ＤＭ１００の下の横縁に沿ったミシン目１６ｂと縦縁に沿ったミシン目１６ｃとが切り込み部１７を介して接続されている。ここで、切り込み部１７は、指でつまむことを想定してタブ状に形成されており、この切り込み部１７（以下、タブ１７として参照する）が引き上げられると、ミシン目１６が白抜き矢線の示す開封方向に向かって順次破断するように構成されている。
【００２６】
図７は、ＤＭ１００がワンタッチで開封される様子を時系列的に示す。図７に示すように、本実施形態においては、タブ１７を引き上げたことに応答して、ミシン目１６が途中でひっかかることなく一気に破断し、最終的に、扉部１８が折り山１９を軸に片開きの状態となる。この一見単純に見える開封作業にはクセになる面白さがあり、それが次回の開封を有効に動機付ける。
【００２７】
続いて、本実施形態において採用されるミシン目１６の形状について詳細に説明する。先に説明したように、ミシン目１６は、開封時には破断しやすく、封筒の折り曲げによっては破断しにくいという特徴を有する。
【００２８】
図８は、ミシン目１６を拡大して示す。図８に示すように、ミシン目１６は、切り込み部と非切り込み部が交互に形成されてなる。ここで、切り込み部は、第１の切り込み部と、当該第１の切り込み部の開封方向後端に連続して形成される第２の切り込み部と、当該第２の切り込み部に連続して形成される第３の切り込み部からなる。また、第１の切り込み部と第２の切り込み部は鈍角をなして形成され、第３の切り込み部は第１の切り込み部と略平行に形成されている。そして、第１の切り込み部と非切り込み部は、扉部１８の輪郭を定義する切り離し予定線Ｓに沿って交互に形成されている。
【００２９】
ここで、本実施形態においては、開封時におけるミシン目の破断抵抗を小さくするために、第１の切り込み部を一般的な破線ミシンの切り込み部よりも長く形成する。具体的には、第１の切り込み部を６ｍｍ〜８ｍｍの長さに形成することが好ましい。一方、非切り込み部は、第１の切り込み部の長さの１０％〜３０％の長さに形成することが好ましい。
【００３０】
また、本実施形態においては、第１の切り込み部と第２の切り込み部がなす角度を１３０°〜１４０°とすることが好ましく、略１３５°とすることがより好ましい。
【００３１】
上述した基本構成を備えるミシン目１６は、ＤＭ１００の表紙に対して図９に示す態様で形成される。すなわち、ＤＭ１００の横縁に沿ったミシン目１６ａ，１６ｂにおいて、第３の切り込み部は、切り離し予定線Ｓから見て上側に形成され、ＤＭ１００の縦縁に沿ったミシン目１６ｃにおいて、第３の切り込み部は、切り離し予定線Ｓから見て折り山１９側に形成される。
【００３２】
以上、本実施形態において採用されるミシン目１６の形状について説明したが、続いて、ミシン目１６がＤＭ１００の折り曲げによって破断しにくい理由を図９および図１０に基づいて説明する。
【００３３】
図１０（ａ）は、ＤＭ１００を折り曲げる前のミシン目１６を示し、図１０（ｂ）は、ＤＭ１００を折り曲げた状態におけるミシン目１６を示す。なお、図１０の白抜き矢線Ａ、Ｂの方向は、図９の白抜き矢線Ａ、Ｂの方向に一致する。
【００３４】
ここで、扉部１８を内側にしてＤＭ１００を縦に折り曲げた場合、扉部１８を含む厚紙の弾性変化に対する復元力の作用で扉部１８が枠部１５から浮き上がる。このとき、ミシン目１６に形成された第２および第３の切り込み部の一部が折れ曲がることによって、図１０（ｂ）に示すように、多数の帯状紙片が現れ、これらの帯状紙片が扉部１８を枠部１５から浮かせた状態でつなぎ止める。
【００３５】
ここで、Ａ４サイズのＤＭ１００は、多くの場合、縦に折り曲げられるので、弾性変形に伴う復元力は、専ら、横縁に沿ったミシン目１６ａ、１６ｂに作用することが想定される。したがって、本実施形態においては、横縁に沿ったミシン目１６ａ、１６ｂのピッチＰ２を縦縁に沿ったミシン目１６ｃのピッチＰ１よりも小さくすることが好ましい。この場合、ピッチＰ２を小さくすることに応じて、ミシン目１６ａ、１６ｂに現れる帯状紙片の数が増えるので、その分、破断抵抗が大きくなり破断がより起こりにくくなる。
【００３６】
図１１および図１２は、折り曲げた状態のＤＭ１００を上側および下側から覗いた様子を示す。本実施形態のＤＭ１００においては、扉部１８を内側にして縦に折り曲げた場合であっても、図１１および図１２に示すように、ミシン目１６は破断することなく、扉部１８は枠部１５につなぎ止められる。
【００３７】
以上、説明したように、本発明の封筒構造は、ワンタッチで開封することができるため開封の煩わしさがなく、加えて、ミシン目を一気に破断して開封する作業自体にクセになる面白さがあるため、これをダイレクトメールに適用した場合に開封率の向上が期待できる。さらに、本発明において採用されるミシン目は、易開封性とともに折り曲げに対する十分な耐久性を具備するので、厚みのある物品を安心して封入することができる。
【００３８】
以上、本発明の封筒構造をシャンプー販促用のダイレクトメール（Ａ４サイズ）に適用した実施形態に基づいて説明してきたが、本発明は上述した実施形態に限定されるものではなく、当業者が推考しうる実施態様の範囲内において、本発明の作用・効果を奏する限り、本発明の範囲に含まれるものである。
【実施例】
【００３９】
以下、本発明の封筒構造について、実施例を用いてより具体的に説明を行なうが、本発明は、後述する実施例に限定されるものではない。
【００４０】
（ＤＭの作製）
図１に示した着想に基づいて、ミシン目の形状のみが異なる５種類のＤＭを作製した。なお、厚紙はＡ３サイズのマットコート紙（ユーライト菊判93.5 kg）を用い、ＤＭの中には、二つ折りリーフレット（Ｂ５サイズ）と入浴剤のサンプル（120mm×60mm×4mm）を封入した。
【００４１】
図１３〜図１７は、ＤＭの扉部を定義する切り離し予定線上に形成した５種類のミシン目の形状を示す。なお、各図においては、拡大して示したミシン目に切り込み部と非切り込み部の寸法を記している。
【００４２】
（易開封性の評価）
上述した手順で作製した５種類のＤＭについて、扉部の易開封性を検証した。以下にその結果を示す。
【００４３】
図１３に示すミシン目を形成したＤＭ（比較例１）は、開封抵抗が大きく、開封の途中で扉部が縦縁から横方向に破れた。また、図１４に示すミシン目を形成したＤＭ（比較例２）は、比較例１よりは開け易かったものの、ミシン目の破断が右上角に達した時点で切り離し予定線から逸れた方向に扉部が破れた。一方、図１５に示すミシン目を形成したＤＭ（比較例３）、図１６に示すミシン目を形成したＤＭ（実施例１）、ならびに、図１７に示すミシン目を形成したＤＭ（実施例２）については、いずれも、最後まで扉部が破れることなくワンタッチで開封することができた。
【００４４】
（ミシン目の耐久性評価）
ワンタッチ開封に成功した３種類のＤＭ（比較例３、実施例１、実施例２）につき、開封前のサンプルを、神奈川県横浜市鶴見区大黒町から下記表１に列挙した１３の住所に送付した。なお、本実験においては、１種類のサンプルにつき、郵便と宅配便を使って２回ずつ送付した。
【００４５】
【表１】
2015024835.tif 000003
【００４６】
各送付先に到着したＤＭのミシン目を目視で観察した。その結果、比較例３（図１５）については、全てのケースにおいて、扉部の上下の横縁に沿って形成されたミシン目が完全に破断しており、大きく口が開いていた。
【００４７】
一方、実施例１（図１６）および実施例２（図１７）については、全てのケースにおいて、ミシン目が一切破断しておらず封緘状態が維持されていた。特に、実施例２（図１７）については、二つ折りの状態で郵便受けに投函されたケースでも完全な封緘状態を維持していた。
【００４８】
さらに、より薄手の厚紙（マットコート紙：ユーライト菊判76.5 kg）を使用して同じ手順で実験を行ったところ、上述したのと同様の結果を得た。
【００４９】
以上の実験により、本発明の封筒構造が実用レベルの耐久性を備えていることが確認された。
【符号の説明】
【００５０】
１０…厚紙
１２…折り曲げ線
１４…切り込み部
１５…枠部
１６…ミシン目
１７…切り込み部（タブ）
１８…扉部
１９…折り山
２０…リーフレット
３０…サンプル
【図１】
2015024835.tif 000004
【図２】
2015024835.tif 000005
【図３】
2015024835.tif 000006
【図４】
2015024835.tif 000007
【図５】
2015024835.tif 000008
【図６】
2015024835.tif 000009
【図７】
2015024835.tif 000010
【図８】
2015024835.tif 000011
【図９】
2015024835.tif 000012
【図１０】
2015024835.tif 000013
【図１１】
2015024835.tif 000014
【図１２】
2015024835.tif 000015
【図１３】
2015024835.tif 000016
【図１４】
2015024835.tif 000017
【図１５】
2015024835.tif 000018
【図１６】
2015024835.tif 000019
【図１７】
2015024835.tif 000020